(57)【特許請求の範囲】
【請求項１】
第１流路、及び前記第１流路の外側を囲む第２流路を形成する多重管と、
前記第１流路に連通された内側部分、及び、前記第２流路に連通されて前記内側部分の外側を囲む外側部分を有し、前記第１流路を流れる高圧流体と前記第２流路を流れる高圧空気とを噴射する多重ノズルとを備え、
前記第２流路の最下部を前記多重ノズルの高さ位置よりも低く定め、前記第２流路と前記多重ノズルとの間を、前記第２流路の最下部から前記多重ノズルに向かって上昇する折り返し部分を介してのみ連通し、
前記高圧空気に代えて洗浄液を前記第２流路に供給することで、前記多重ノズルを洗浄するように構成したことを特徴とする地盤改良装置。
【請求項２】
前記多重管には、地盤を削孔する削孔ビットが下端に設けられるとともに、前記第２流路と前記削孔ビットとの間を開閉可能な状態で連通する削孔水流路が設けられ、
地盤の削孔時に、前記第２流路を、削孔水を供給するための流路として用いることを特徴とする請求項１に記載の地盤改良装置。
【発明の詳細な説明】
【技術分野】
【０００１】
本発明は、硬化材や空気等の高圧流体を多重管内の流路を通じて高圧で供給し、多重管の先端側面に設けたノズルからこれらの高圧流体を噴射させて地盤を改良する地盤改良装置に関する。
【背景技術】
【０００２】
超高圧で流体を噴射させて地盤を切削するとともに硬化材を充填し、固結体を造成することで地盤の改良を行う地盤改良装置において、多重管を注入管とするものが知られている。例えば、特許文献１に記載の装置は、高圧水（清水）を供給する内側の高圧流路と、空気を供給する中間の空気流路と、注入材液を供給する外側の注入流路を有する３重構造の注入管を備えている。
【０００３】
この注入管の下端部側面には、高圧水と空気を噴射する一対の噴射ノズルと、注入材液を噴射する注入ノズルとが設けられている。図１０に示すように、噴射ノズルＮは、中心部分Ｎ１から高圧水を噴射し、外周部分Ｎ２から空気を噴射する二重型ノズルによって構成されている。また、注入管Ｐの下端には削孔ビット（図示せず）が設けられており、注入管Ｐを軸回りに回転させながら押し下げてガイドホールを自削孔した後に、注入管Ｐを軸回りに回転させながら引き上げることで、地盤に固結体を造成できる構成になっている。
【０００４】
この装置では、自削孔時において噴射ノズルＮからは高圧水や空気が噴射されないため、切削で生じた土砂が噴射ノズルＮに詰まる虞がある。噴射ノズルＮが目詰まりした場合、その後の改良工程で噴射ノズルＮから高圧水や空気を噴射させても、詰まった土砂を除去できないことがある。空気を噴射する外周部分Ｎ２の隙間は、高圧水を噴射する中心部分Ｎ１の直径よりも狭くなっている。そして、空気が目詰まりを除去する力は水よりも小さいので、外周部分Ｎ２において目詰まりが残ってしまう可能性が高い。
【先行技術文献】
【特許文献】
【０００５】
【特許文献１】特許第３１７２７８２号公報
【発明の概要】
【発明が解決しようとする課題】
【０００６】
噴射ノズルＮの目詰まりを除去するため、空気流路Ｆから洗浄水を供給して洗浄することが考えられる。しかし、図９（ｂ）に矢印で示すように、空気流路Ｆを上から下へと流れる洗浄水は、噴射ノズルＮにおける上側部分に流れ込み易い。そして、外周部分Ｎ２の全周に亘って目詰まりが生じていた場合、上部の目詰まりが除去されると、その後は、洗浄水が上部から流出する。その結果、外周部分Ｎ２の下部については目詰まりの除去が難しいといった問題があった。従って、現場では、そのような場合には、注入管Ｐを引き上げて噴射ノズルＮの清掃を行う必要があった。
【０００７】
本発明は、このような事情に鑑みてなされたものであり、その目的は、多重ノズルから空気及び他の流体を噴射させて地盤を改良する地盤改良装置において、多重ノズルの下側部分に対する洗浄効率を高めることにある。
【課題を解決するための手段】
【０００８】
前記課題を解決するため、本発明の地盤改良装置は、第１流路、及び前記第１流路の外側を囲む第２流路を形成する多重管と、前記第１流路に連通された内側部分、及び、前記第２流路に連通されて前記内側部分の外側を囲む外側部分を有し、前記第１流路を流れる高圧流体と前記第２流路を流れる高圧空気とを噴射する多重ノズルとを備え、前記第２流路の最下部を前記ノズルの高さ位置よりも低く定め、前記第２流路と前記多重ノズルとの間を、前記第２流路の最下部から前記多重ノズルに向かって上昇する折り返し部分を介してのみ連通し、前記高圧空気に代えて洗浄液を前記第２流路に供給することで、前記多重ノズルを洗浄するように構成したことを特徴とする。
【０００９】
本発明の地盤改良装置によれば、第２流路を流れる洗浄液は、多重ノズルよりも低い位置まで流下した後に上昇して多重ノズルに流入する。すなわち、多重ノズルの下側部分から洗浄液が流入する。これにより、従来洗浄が困難であった多重ノズルの下側部分について、上側部分よりも優先して目詰まりを除去できる。また、多重ノズルの下側部分が洗浄されることで、上側部分の土砂が落下しやすくなる。このように、多重ノズルの全周に亘って土砂が洗浄され易くなるため、多重管を引き上げずに洗浄液の供給によって多重ノズルの清掃を行うことも可能となる。その結果、洗浄作業の効率化を図ることができる。
【００１０】
本発明の地盤改良装置において、前記多重管の下端に、地盤を削孔する削孔ビットを設けるとともに、前記削孔ビットと前記第２流路との間を、削孔水流路によって開閉可能な状態で連通し、地盤の削孔時に、前記第２流路を、削孔水を供給するための流路として用いる場合には、第２流路を削孔水の供給にも用いることができ、注入管について構成の簡素化が図れる。
【発明の効果】
【００１１】
本発明によれば、多重管の先端側面に設けた多重ノズルから高圧流体を噴射させて地盤を改良する地盤改良装置において、多重ノズルの下側部分についての洗浄効率を高めることができる。
【図面の簡単な説明】
【００１２】
【図１】地盤改良装置の全体構成を説明する図である。
【図２】注入管の先端部分を拡大して示す断面図である。
【図３】（ａ）は図２のＸ−Ｘ断面図、（ｂ）は図２のＹ−Ｙ断面図、（ｃ）は図２のＺ−Ｚ断面図である。
【図４】注入管の先端部分における流路等を簡略化して示す図である。
【図５】通常の噴射攪拌工法にて各流路に流す流体を説明する図である。
【図６】（ａ）は地盤の削孔を説明する図である。（ｂ）は地盤の改良処理を説明する図である。
【図７】閉塞ノズルの洗浄時における注入管の先端部分を説明する図であり、（ａ）は流体の流れを示す断面図、（ｂ）は流体の流れを簡略化して示す図である。
【図８】閉塞ノズルの洗浄時におけるノズル周辺の部分拡大図である。
【図９】注入管の先端部分における他の構成を簡略化して示す図である。
【図１０】従来技術を説明する図であり、（ａ）はノズルの正面図、（ｂ）はノズルの断面図である。
【発明を実施するための形態】
【００１３】
以下、本発明の実施形態について説明する。図１に示すように、地盤改良装置１は、造成マシン１０と、注入管２０とを有している。
【００１４】
造成マシン１０は、地盤Ｇを削孔してガイドホールＧＨを形成し、ガイドホールＧＨに挿入された注入管２０の先端部分（後述する下端部分２１）から空気、水、硬化材等の流体を高圧で噴射させるとともに、注入管２０を回転させつつ引き上げることで、地盤Ｇの切削と硬化材の混合攪拌とを同時に行うものである。
【００１５】
注入管２０は、高圧流体を流すための複数の流路を内部に有する多重管によって構成されている。そして、ガイドホールＧＨに挿入された状態で下側に位置する一方の先端部分には、削孔ビット２２が取り付けられ、上側に位置する他方の先端部分には注入管スイベル２３が取り付けられている。便宜上、以下の説明では、一方の先端部分のことを下端部分２１という。
【００１６】
図２及び図３に示すように、注入管２０は、内管２４、中管２５、及び外管２６を有する３重管によって構成されている。すなわち、外管２６の内側空間に中管２５が挿入され、中管２５の内側空間に内管２４が挿入され、かつ、内管２４、中管２５、及び外管２６が同心状に配置されている。そして、内管２４の外径は中管２５の内径よりも小さく定められ、中管２５の外径は外管２６の内径よりも小さく定められている。このため、この注入管２０は、内管２４の中心部に形成される内管流路２４ａと、内管２４の外周面と中管２５の内周面との間に内管流路２４ａを囲む状態で形成される中管流路２５ａと、中管２５の外周面と外管２６の内周面との間に中管流路２５ａを囲む状態で形成される外管流路２６ａとを有している。
【００１７】
内管流路２４ａは第１流路に相当し、地盤Ｇの削孔時において硬化材は供給されず、大気圧の空気で満たされている。一方、地盤Ｇの改良時において、内管流路２４ａにはセメントミルク等の硬化材が高圧で供給される。外管流路２６ａは第２流路に相当し、地盤Ｇの削孔時においては削孔用の水（圧力水）が供給される。一方、地盤Ｇの改良時において、外管流路２６ａには空気が高圧で供給される。中管流路２５ａは第３流路に相当し、地盤Ｇの削孔時においては静圧水で満たされる。一方、地盤Ｇの改良時において、中管流路２５ａには高圧空気が供給される。なお、各流路２４ａ〜２６ａに流れる流体については後で説明する。
【００１８】
内管２４の下端部には、閉塞部材２７の上端部が取り付けられている。この閉塞部材２７は、上面が開放された有底円筒状の弾性体である。本実施形態の閉塞部材２７は、側面部分がゴムによって作製されている。この閉塞部材２７を内包する状態で、注入管２０の下端部には水路形成部材２８が設けられている。水路形成部材２８は、閉塞部材２７を収納可能な大きさの空間が形成された上面開放の有底筒状部材である。水路形成部材２８は肉厚の円筒状をしており、その内径は閉塞部材２７の外径よりも一回り大きく定められている。閉塞部材２７は、水路形成部材２８と同心上に配置されているため、閉塞部材２７の外周面と水路形成部材２８の内周面との間には隙間が形成される。この隙間は、水路形成部材２８の下面まで一連に形成され、削孔水を流すための削孔水流路２９となる。
【００１９】
水路形成部材２８の下端部には、削孔ビット２２が取り付けられている。この削孔ビット２２は、下端に切削用の刃が形成された円筒状部材であり、水路形成部材２８とともに回転する。そして、造成マシン１０によって注入管２０を押し下げつつ軸周りに回転させることで地盤Ｇを削孔することができる。ここで、削孔水流路２９の出口は、削孔ビット２２の内側空間に開口しているため、削孔水流路２９を通じて削孔水を排出しながら地盤Ｇを削孔すると、削孔時の抵抗低減や刃の目詰まりを防止が図れ、削孔を円滑に行うことができる。
【００２０】
水路形成部材２８と注入管２０との境界部分には、分流空部３１が設けられている。この分流空部３１は、閉塞部材２７の外周を囲む扁平なリング状の空間であり、後述する上側ノズル及び下側ノズルよりも下の位置に設けられている。そして、図３（ａ）や（ｂ）に記載された外管連通路３２を介して、分流空部３１と外管流路２６ａとが連通されている。従って、この分流空部３１は、外管流路２６ａの最下部ということができる。
【００２１】
また、図２や図３（ｂ）に記載されたノズル連通路３３を介して、分流空部３１と下側ノズル空部３４とが連通されている。この下側ノズル空部３４は、下側ノズル３５の高さ位置に、内管２４の外側を囲む状態に形成されたリング状の空間である。ここで、下側ノズル空部３４は分流空部３１よりも上方に位置するので、ノズル連通路３３は、分流空部３１と下側ノズル３５との間を下側ノズル３５に向かって上昇する折り返し部分に相当する。
【００２２】
下側ノズル３５は、二重型ノズルによって構成されており、図８に拡大して示すように、内管流路２４ａを流れる高圧流体を中心部分３５ａ（内側部分に相当する）から噴射させ、外管流路２６ａを流れる高圧流体を、中心部分３５ａの外側を囲む外周部分３５ｂ（外側部分に相当する）から噴射させる。なお、この下側ノズル３５において、外周部分３５ｂにおける流路の断面積は、削孔水流路２９の断面積よりも十分に小さく定められている。
【００２３】
図２に示すように、下側ノズル空部３４の直上には、下側遮蔽弁３６を間に挟んだ状態で上側ノズル空部３７が形成されている。この上側ノズル空部３７は、上側ノズル３８の高さ位置に、内管２４の外側を囲む状態に形成されたリング状の空間である。この上側ノズル空部３７の直上には、上側遮蔽弁３９を間に挟んだ状態で中管流路２５ａの下端が位置している。そして、上側ノズル３８は、注入管２０の周方向において下側ノズル３５と背中合わせの位置（１８０度回転した位置）に設けられている。
【００２４】
この上側ノズル３８もまた二重型ノズルによって構成されており、内管流路２４ａを流れる高圧流体を中心部分から噴射させ、中管流路２５ａ又は外管流路２６ａを流れる高圧流体を外周部分から噴射させる。なお、上側ノズル３８による流体の噴射方向は、下側ノズル３５の噴射方向と反対である。そして、この上側ノズル３８においても、外周部分における流路の断面積は、削孔水流路２９の断面積よりも十分に小さく定められている。
【００２５】
下側遮蔽弁３６は、リング状のゴム片によって構成された逆止弁である。この下側遮蔽弁３６は、下側ノズル空部３４と上側ノズル空部３７との境界部分の開口を上側ノズル空部３７側から覆っている。そして、下側ノズル空部３４の流体圧力（すなわち、外管流路２６ａの流体圧力）が上側ノズル空部３７の流体圧力（すなわち、中管流路２５ａの流体圧力）よりも高い場合に上方に湾曲し、境界部分の開口から離れた開放状態に変換される。これにより、上側ノズル空部３７と下側ノズル空部３４とが連通される。反対に、上側ノズル空部３７の流体圧力が下側ノズル空部３４の流体圧力の流体圧力よりも高い場合に下方に押圧されて境界部分の開口を塞いだ閉塞状態に変換される。これにより、上側ノズル空部３７と下側ノズル空部３４とが遮断される。
【００２６】
上側遮蔽弁３９もまた、リング状のゴム片によって構成された逆止弁である。この上側遮蔽弁３９は、中管流路２５ａと上側ノズル空部３７の境界部分の開口を上側ノズル空部３７側から覆っている。そして、中管流路２５ａの流体圧力が上側ノズル空部３７の流体圧力よりも高い場合に下方に湾曲し、境界部分の開口から離れた開放状態に変換される。これにより、中管流路２５ａと上側ノズル空部３７とが連通される。反対に、上側ノズル空部３７の流体圧力が中管流路２５ａの流体圧力の流体圧力よりも高い場合に上方に押圧されて境界部分の開口を塞いだ閉塞状態に変換される。これにより、中管流路２５ａと上側ノズル空部３７とが遮断される。
【００２７】
前述したように、下側ノズル空部３４は、ノズル連通路３３、分流空部３１、及び外管流路２６ａを介して、外管流路２６ａと連通されている。このため、外管流路２６ａの流体圧力が中管流路２５ａの流体圧力よりも高い場合には、下側遮蔽弁３６が開放状態となる一方で上側遮蔽弁３９が閉塞状態になる。この場合、下側ノズル空部３４と上側ノズル空部３７の両方が、外管流路２６ａの流体で満たされることになる。これにより、上側ノズル３８と下側ノズル３５のそれぞれから内管流路２４ａを流れる高圧流体と外管流路２６ａを流れる高圧流体とが噴射される。
【００２８】
反対に、中管流路２５ａの流体圧力が外管流路２６ａの流体圧力よりも高い場合には、下側遮蔽弁３６が閉塞状態となる一方で上側遮蔽弁３９が開放状態になる。この場合、上側ノズル空部３７は中管流路２５ａの流体で満たされ、下側ノズル空部３４は外管流路２６ａの流体で満たされることになる。これにより、上側ノズル３８からは内管流路２４ａを流れる高圧流体と中管流路２５ａを流れる高圧流体とが噴射され、下側ノズル３５からは内管流路２４ａを流れる高圧流体と外管流路２６ａを流れる高圧流体とが噴射される。
【００２９】
前述した注入管２０の下端部分２１は、図４に示すように簡略化して示すことができる。理解を容易にするため、以下の説明に際しては簡略化した図も用いて説明することとする。
【００３０】
次に、この地盤改良装置１を用いた地盤改良工法について説明する。
【００３１】
図５に示すように、地盤Ｇの削孔時において、外管流路２６ａに削孔水を流し、中管流路２５ａを静圧水で満たし、内管流路２４ａを大気開放する（すなわち大気圧の空気で満たす）。そして、図６（ａ）に示すように、注入管２０の下端部分２１から削孔水を排出しつつ注入管２０を軸回りに回転させ、注入管２０を少しずつ押し下げる。
【００３２】
このとき、注入管２０が軸回りに回転するので、削孔ビット２２で削られた土砂が各ノズル３５，３８に入り込む。なお、削孔水はノズル連通路３３を通じて各ノズル３５，３８流れ込むが、その大半が削孔水流路２９から排出されているため、入り込む土砂を押し戻すことは難しい場合がある。このため、各ノズル３５，３８は入り込んだ土砂によって目詰まりすることがある。
【００３３】
図５に示すように、地盤改良時には、内管流路２４ａに高圧で硬化材を流し、中管流路２５ａ及び外管流路２６ａに高圧空気を流す。これにより、各ノズル３５，３８からは硬化材が高圧空気とともに噴射される。そして、図６（ｂ）に示すように、注入管２０の下端部分２１から硬化材や高圧空気を噴射しつつ注入管２０を軸回りに回転させ、注入管２０を引き上げる。これにより、地盤Ｇの切削と硬化材の攪拌混合とが行われる。
【００３４】
各ノズル３５，３８における外周部分からは空気が噴射されるが、先に行われた削孔時において目詰まりが生じると、空気によって外周部分の上部については目詰まりの除去が期待できる。しかし、上部の目詰まりが除去されると、その部分から空気が噴射されるため、下部の目詰まりについては除去されにくい。
【００３５】
そこで、ノズルが目詰まりした閉塞時において、この地盤改良装置１では、図５に示すように、内管流路２４ａに低圧で硬化材を流し、外管流路２６ａに洗浄液（例えば清水）を流す。また、中管流路２５ａは大気開放する。
【００３６】
図７（ａ），（ｂ）に示すように、内管流路２４ａには硬化材が低圧で流される。これに伴い、閉塞部材２７の内部空間２７ａに硬化材が充填され、閉塞部材２７が側方に膨らんで削孔水流路２９が閉塞される。また、硬化材が低圧で流されているので、上側ノズル３８及び下側ノズル３５からは、硬化材が流出しないか、流出しても僅かな量である。削孔水流路２９の閉塞に伴って、外管流路２６ａからの分流空部３１に流入した洗浄液は、ノズル連通路３３を通じて上昇し、下側ノズル空部３４に流入する。
【００３７】
ここで、中管流路２５ａは大気開放されているので、外管流路２６ａを流れる洗浄液の圧力は中管流路２５ａの流体圧力（すなわち大気圧）よりも高くなる。これにより、下側遮蔽弁３６が開放状態になるとともに上側遮蔽弁３９が閉塞状態になり、下側ノズル空部３４を満たした洗浄液が上側ノズル空部３７の下側から流入し、この上側ノズル空部３７を満たす。
【００３８】
このように、洗浄液は、下側ノズル空部３４及び上側ノズル空部３７の下側から流入する。そして、下側ノズル空部３４には下側ノズル３５が連通し、上側ノズル空部３７には上側ノズル３８が連通している。このため、各ノズル空部３４，３７に流入した洗浄液は、各ノズル３５，３８から排出されて詰まった土砂を排出する。
【００３９】
図８は、下側ノズル３５の周辺部分を拡大して示す断面図である。この図では、下側ノズル３５に流れ込む洗浄水の経路を矢印によって示している。外管流路２６ａから外管連通路３２を通じて分流空部３１に流れ込んだ洗浄水は、ノズル連通路３３を上昇して下側ノズル空部３４に流入する。ここで、下側ノズル３５が二重型ノズルによって構成され、洗浄液が下側ノズル空部３４の下側から流入するので、下側ノズル３５の外周部分３５ｂにおいても洗浄液は下側から流入する。このように、洗浄液は、外周部分３５ｂの下側から流入して流れるので、外周部分３５ｂの下部から排出されやすい。なお、以上は下側ノズル３５についての説明であるが、上側ノズル３８についても同様にあてはまる。すなわち、洗浄液は、上側ノズル３８における外周部分の下部から排出されやすい。
【００４０】
目詰まりした各ノズル３５，３８において、外周部分の下部に詰まっていた土砂が排出されると、この土砂の排出によって生じた空部に周辺の土砂が落下しやすくなり、各ノズル３５，３８の目詰まりを効率よく除去することができる。その結果、従来は注入管２０を地上に引き上げて行っていた各ノズル３５，３８の洗浄を地中で行うことができる。
【００４１】
そして、洗浄水を各ノズル３５，３８へ供給するに際しては、外管流路２６ａの高圧空気に代えて洗浄水を供給し、この洗浄水圧力を中管流路２５ａの圧力（大気圧）よりも高くすればよい。このため、地上からの操作によって容易に洗浄を行うことができる。
【００４２】
ところで、以上の実施形態に関する説明は、本発明の理解を容易にするためのものであり、本発明を限定するものではない。本発明は、その趣旨、目的を逸脱することなく、変更、改良され得るとともに、本発明にはその等価物が含まれることは勿論である。例えば、次のように構成してもよい。
【００４３】
まず、洗浄液に関し、清水以外のものも用いることができる。例えば、清水に界面活性剤を添加したものを用いてもよい。また、溶剤成分を含有させた水を用いてもよい。
【００４４】
閉塞部材２７に関し、前述の実施形態では、上面が開放された有底円筒状の弾性体で構成されたものを例示した。この閉塞部材２７に関し、シート状の弾性体を袋状にした弾性体袋を用いてもよい。この弾性体袋は、内管流路２４ａの流体が内部空間に充填されると、水風船のように膨らんで削孔水流路２９を閉塞する。要するに閉塞部材２７は、内管流路２４ａを流れる流体の充填状態に応じて膨張あるいは収縮し、削孔水流路２９を閉塞したり、開放したりするものであればよい。
【００４５】
また、注入管２０の下端部分２１に関し、前述の実施形態では、外管流路２６ａを流れる流体が分流空部３１及びノズル連通路３３を通じて下側ノズル空部３４に流入するように構成されていた。この先端部分に関し、図９に示すように、中管流路２５ａを流れる流体を分流空部３１及び連通路３３´を通じて下側ノズル空部３４に流入するように構成してもよい。なお、このように構成した場合、外管流路２６ａを流れる流体は、上側遮蔽弁３９を通じて上側ノズル空部３７に流入される。他の構成は、前述した実施形態と同様であるため、説明は省略する。
【００４６】
また、前述の実施形態では、閉塞部材２７の膨張や収縮によって外管流路２６ａの流体を流す流路を切り換えていた。すなわち、閉塞部材２７を収縮させることで外管流路２６ａの流体を削孔水流路２９に導き、閉塞部材２７を膨張させることで外管流路２６ａの流体を下側ノズル空部３４に導いていた。このような流路を切り換えは、閉塞部材２７以外の部材を用いて行ってもよい。例えば、内管流路２４ａの流体圧力に応じて管長手方向に移動する注入差動弁（図示せず）を用いて流路を切り換えるようにしてもよい。
【００４７】
注入管２０に関し、前述の実施形態では３重管によって構成されていたが、２重管で構成してもよいし、４重管によって構成してもよい。また、各ノズル３５，３８についても、三重型ノズルのような多重ノズルを用いることができる。
【符号の説明】
【００４８】
１  地盤改良装置
１０  造成マシン
２０  注入管
２１  下端部分
２２  削孔ビット
２３  注入管スイベル
２４  内管（２４ａ  内管流路）
２５  中管（２５ａ  中管流路）
２６  外管（２６ａ  外管流路）
２７  閉塞部材（２７ａ  内部空間）
２８  水路形成部材
２９  削孔水流路
３１  分流空部
３２  外管連通路
３３  ノズル連通路
３４  下側ノズル空部
３５  下側ノズル
３６  下側遮蔽弁
３７  上側ノズル空部
３８  上側ノズル
３９  上側遮蔽弁
Ｇ  地盤
ＧＨ  ガイドホール
【図１】
0005695898.tif 000002
【図２】
0005695898.tif 000003
【図３】
0005695898.tif 000004
【図４】
0005695898.tif 000005
【図５】
0005695898.tif 000006
【図６】
0005695898.tif 000007
【図８】
0005695898.tif 000008
【図９】
0005695898.tif 000009
【図７】
0005695898.tif 000010
【図１０】
0005695898.tif 000011